(57)【要約】ロータリーアクチュエータとともに用いるロックアウト装置は、ロータリーアクチュエータのレバー（６０２）内に挿入される第一部分（６０４）を含む挿入部（５１２）を含み、挿入部（５１２）がレバーの一以上の機構と相互作用することによって、レバーの回転運動をそこに伝達することが可能になる。ロックアウト装置は、レバーから延伸する挿入部の第二部分（６１６）を含み、第二部分は、物体（５１８）がそこを通り挿入される開口部（８６２２）を画定することによって、挿入部およびレバーをロータリーアクチュエータのハウジング（５０２）に対する第一位置に回転可能に固着する。【選択図】図６
2014508904.tif 000002
【特許請求の範囲】
【請求項１】
ロータリーアクチュエータのレバー内に挿入される第一部分と、前記レバーから延伸する第二部分とを含む挿入部を備えており、前記挿入部が前記レバーの一以上の機構と相互作用することによって、前記レバーの回転運動をそこに伝達することが可能になり、前記第二部分が、物体がそこを通り挿入される開口部を画定することによって、前記挿入部および前記レバーを、前記ロータリーアクチュエータのハウジングに対する第一位置に回転可能に固着する、ロータリーアクチュエータとともに用いるロックアウト装置。
【請求項２】
前記挿入部が実質的に正方形断面を含む、請求項１記載のロックアウト装置。
【請求項３】
前記第二部分が、前記物体がそこを通り挿入される第二の開口部を画定することによって、前記挿入部および前記レバーを、前記ロータリーアクチュエータのハウジングに対する、前記第一位置とは異なる第二位置に固着する、前記請求項いずれか１項記載のロックアウト装置。
【請求項４】
前記挿入部および前記レバーを回転可能に固着することによって、時計方向および反時計方向への前記挿入部および前記レバーの回転を防止することを含む、前記請求項いずれか１項記載のロックアウト装置。
【請求項５】
前記ロータリーアクチュアリの前記ハウジングに連結されるプレートをさらに備えており、前記挿入部の前記第二部分が前記プレートによって画定されたアパーチャ内に少なくとも部分的に位置付けられており、前記挿入部の前記第一部分が前記プレートから延伸している、前記請求項いずれか１項記載のロックアウト装置。
【請求項６】
前記プレートに連結されており、前記挿入部の前記第二部分を前記アパーチャ内に少なくとも部分的に保持するリテーナをさらに備えている、前記請求項いずれか１項記載のロックアウト装置。
【請求項７】
前記リテーナが、前記挿入部および前記レバーの回転量を示すスケールを備えている、前記請求項いずれか１項記載のロックアウト装置。
【請求項８】
前記プレートが、前記挿入部の前記開口部と前記プレートの前記開口部とが位置を合わせた際に、前記挿入部および前記レバーを前記第一位置に回転可能に固着して前記物体がそこを通り挿入される前記開口部を画定する、、前記請求項いずれか１項記載のロックアウト装置。
【請求項９】
前記スロットが位置を合わせた際に、前記挿入部および前記レバーを前記第一位置に回転可能に固着する前記物体がキーまたはピンを含み、前記挿入部の前記開口部および前記プレートの前記開口部が、前記キーまたはピンをその中に挿入するスロットを含む、、前記請求項いずれか１項記載のロックアウト装置。
【請求項１０】
前記アパーチャが位置を合わせた際に、前記挿入部および前記レバーを前記第一位置に回転可能に固着する前記物体がピンを含み、前記挿入部の前記開口部および前記プレートの前記開口部が、前記ピンをその中に挿入するアパーチャを含む、、前記請求項いずれか１項記載のロックアウト装置。
【請求項１１】
前記ピンが、締結装置の一部分がそこを通り位置付けされる穴を画定することによって、前記挿入部および前記プレートの前記位置合わせしたアパーチャから前記ピンが取り外れることを防止する、前記請求項いずれか１項記載のロックアウト装置。
【請求項１２】
前記プレートが、前記プレートと前記ロータリーアクチュエータのハウジングとを連結する締結具がそこを通り延伸可能になる複数個のスロットを画定する、前記請求項いずれか１項記載のロックアウト装置。
【請求項１３】
前記プレートが複数個のアパーチャを画定することによって、一以上の付属装置をそこに取り付けることが可能になる、前記請求項いずれか１項記載のロックアウト装置。
【請求項１４】
前記挿入部が前記レバーに一体化して連結されている、前記請求項いずれか１項記載のロックアウト装置。
【請求項１５】
ロータリーアクチュアリのハウジングに連結されるプレートと、第一部分および第二部分を含む挿入部と、を備えており、
前記プレートがそこを貫通するアパーチャおよびスロットを画定し、前記第一部分が前記ロータリーアクチュエータのレバー内に挿入され、前記第二部分が前記アパーチャ内に位置付けられ、前記挿入部が前記レバーに係合するように構成された断面を有することによって、前記レバーの回転運動をそこに伝達することが可能になり、スロットを画定する前記第二部分が前記プレートの前記スロットと位置を合わせることによって、物体を前記スロット内に挿入することが可能になり、前記プレートに対する前記挿入部および前記レバーの回転運動を防止する、ロータリーアクチュエータと共に用いるロックアウト組立体。
【請求項１６】
前記プレートに連結されており、前記挿入部の前記第二部分を前記アパーチャ内に少なくとも部分的に保持するリテーナをさらに備えている、請求項１５記載のロックアウト組立体。
【請求項１７】
前記プレートの前記スロットが、前記スロットに挿入される前記物体の段部によって係合する段部を備えていることによって、前記スロット内における少なくとも一方向への前記物体のさらなる運動を防止する、前記請求項いずれか１項記載のロックアウト組立体。
【請求項１８】
前記断面が実体的に正方形断面を含む、前記請求項いずれか１項記載のロックアウト組立体。
【請求項１９】
前記物体をさらに備えている、前記請求項いずれか１項記載のロックアウト組立体。
【請求項２０】
ハウジングと、
挿入部を備えているロックアウト装置と、
前記ハウジング内に配置されており、レバーの第一側面における弁に関連するシャフトおよび前記レバーの第二側面における前記挿入部を受容するように構成されている前記レバーと、を備えており、前記挿入部と前記レバーとの相互作用、および前記ハウジング内の開口部によって、ロックアウト処置の間、前記挿入部および前記レバーを回転可能に固着する、ロータリーアクチュエータ。
【請求項２１】
前記開口部が通るように画定された前記ハウジングの一部分がプレートを備えており、前記挿入部の前記第二部分が前記プレートによって画定されたアパーチャ内に少なくとも部分的に位置付けられている、請求項２０記載のロータリーアクチュエータ。
【発明の詳細な説明】
【技術分野】
【０００１】
本特許は、ロックアウト装置に関するものであり、より具体的には、ロータリーアクチュエータとともに用いるロックアウト装置に関するものである。
【背景技術】
【０００２】
プロセス制御システムは、さまざまなフィールド装置を用いてプロセスパラメータを制御する。ロータリーアクチュエータは、プロセスパラメータの制御に一般に用いられるフィールド装置の一種類である。安全上の理由のためにこれらのロータリーアクチュエータを用いるシステムに保守を実行する際には、アクチュエータレバーを最上位置に固定することによって、ロータリーアクチュエータをロックアウトできる。
【発明の概要】
【課題を解決するための手段】
【０００３】
ロータリーアクチュエータとともに用いる例示のロックアウト装置は、ロータリーアクチュエータのレバー内に挿入される第一部分を含む挿入部を含み、挿入部がレバーの一以上の機構と相互作用することによって、レバーの回転運動をそこに伝達することが可能になる。ロックアウト装置は、レバーから延伸する挿入部の第二部分を含み、第二部分は、物体がそこを通り挿入される開口部を画定することによって、挿入部およびレバーをロータリーアクチュエータのハウジングに対する第一位置に回転可能に固着する。
【０００４】
ロータリーアクチュエータと共に用いる例示のロックアウト組立体は、ロータリーアクチュアリのハウジングに連結されるプレートを含む。プレートはそこを貫通するアパーチャおよびスロットを画定し、挿入部は第一部分および第二部分を含む。ロータリーアクチュエータのレバー内に挿入される第一部分、およびアパーチャ内に位置付けられる第二部分、ならびにレバーに係合するように構成された断面を有する挿入部によって、レバーの回転運動をそこに伝達することが可能になる。プレートのスロットと位置合わせされるスロットを画定する第二部分によって、物体をスロット内に挿入することが可能になり、プレートに対する挿入部およびレバーの回転運動を防止することができる。
【０００５】
例示のロータリーアクチュエータは、ハウジングおよび挿入部を含むロックアウト装置を含む。ロータリーアクチュエータは、ハウジング内に配置され、、レバーの第一側面における弁に関連するシャフトおよびレバーの第二側面における挿入部を受容するように構成されたレバーを含む。挿入部とレバーとの相互作用、およびハウジング内の開口部によって、ロックアウト処置の間、挿入部およびレバーを回転可能に固着する。
【図面の簡単な説明】
【０００６】
【図１】公知のロータリーアクチュエータの一部分を描写する部分断面図である。
【図２】別の公知のロータリーアクチュエータの一部分を描写する部分断面図である。
【図３】アクチュエータの一部分を描写する図である。
【図４】アクチュエータレバーを描写する図である。
【図５】例示のロックアウト装置を含む例示のロータリーアクチュエータを描写する図である。
【図６】図５の例示のアクチュエータおよび例示のロックアウト装置を描写する断面図である。
【図７】図５の例示のロックアウト装置の互いに異なる外観を描写する図である。
【図８】図５の例示のロックアウト装置の互いに異なる外観を描写する図である。
【図９】本明細書に記述する例の実施に用いることができる例示の取付プレートの互いに異なる外観を描写する図である。
【図１０】本明細書に記述する例の実施に用いることができる例示の取付プレートの互いに異なる外観を描写する図である。
【図１１】本明細書に記述する例の実施に用いることができる例示の取付プレートの互いに異なる外観を描写する図である。
【図１２】本明細書に記述する例の実施に用いることができる例示の挿入部を描写する図である。
【図１３】本明細書に記述する例の実施に用いることができる例示の挿入部を描写する図である。
【図１４】本明細書に記述する例の実施に用いることができる例示の止めピンを描写する図である。
【図１５】代替的な例示の取付プレートを描写する図である。
【図１６】代替的な例示の挿入部を描写する図である。
【図１７】別の代替的な例示の挿入部を描写する図である。
【発明を実施するための形態】
【０００７】
あるある例示を前に特定した図面に示し、以下に詳細に記述する。これらの例示の記述では、同等または同一の参照番号を用いて、同じまたは同様の要素を特定する。図面は必ずしも原寸に比例しているわけではなく、図面のある特徴およびある外観は、明確さおよび簡潔さのため、縮尺において誇張されるか、概略的に示され得る。また、本明細書全体を通していくつかの例を記述した。任意の例が提供する任意の特徴を、他の例が提供する他の特徴に包含、置換、さもなければそれと組み合わせることができる。
【０００８】
本明細書に記述する例は、例示のロックアウトまたはロッキング装置に関し、これらにより、それらと共に用いられるロータリーアクチュエータを、複数の位置（たとえば、閉鎖位置、開放位置、５０％開放位置など）に、ロック、固定および／または固着することが可能になる。本明細書に記述する例は、任意の好適なアクチュエータ、例えば、ラックアンドピニオンロータリーアクチュエータ、ロータリーアクチュエータなどに関連して用いることができる。一部の公知のロックアウト装置と比較して、本明細書に記述する例示のロックアウト装置は、ロックアウト処置の間、両方向（たとえば、時計方向および反時計方向）へのアクチュエータレバーの回転運動を実質的に防止することができる。例示のロックアウト装置は、実質的な改変が無くても、もしあっても多少の改変で、既存のロータリーアクチュエータに据え付けることができる。したがって、既存のロータリーアクチュエータは、アクチュエータを交換する費用を負担することなく、またはアクチュエータを実質的に改良することなく、本明細書に記述する例示のロックアウト装置の利益を有することができる。
【０００９】
本明細書に記述する例示のロックアウト装置は、挿入部、止めピン、および挿入部を少なくとも部分的に位置付ける取付プレートを含むことができる。取付プレートを、既存のねじ穴を用いてアクチュエータハウジングおよび／またはエンドプレートに取り付けることによって、ロックアウト装置をアクチュエータレバーに隣接して位置付けることができる。ロックアウト装置は、弁が連結されている側面とは反対側の、アクチュエータの側面に位置付けることができる。挿入部の第一部分がアクチュエータレバーのスプラインおよび／または機構と相互作用または係合し、これらのスプラインおよび／または機構が、アクチュエータが連結する弁の零点位置に応じて異なって位置付け（たとえば、＋／−７度）され得るため、取付プレートは、取付プレートの位置を弁の零点位置に基づいてアクチュエータに対して変化させるようなスロット穴を画定することができる。したがって、一部の例では、取付プレートは、アクチュエータハウジングに対して傾斜または回転することができる。しかしながら、他の例では、取付プレートは、アクチュエータハウジングおよび／またはエンドプレートと一体化してもよい。
【００１０】
挿入部の第一部分は、アクチュエータレバーの内向きスプラインおよび／または表面構造と相互作用または係合する略正方形断面または任意の他の好適な断面（たとえば、三角形、スプラインなど）を有することによって、レバーの回転運動を挿入部に伝達することが可能になる。一部の例では、正方形断面は、内向きスプラインによって画定された溝内に位置付けされた面取りした角を有することができる。挿入部の角の面取りによって、例として、より厳しい許容誤差において挿入部を製造することが可能になり、一方で、なおも挿入部を容易にレバーに挿入可能となる。他の例では、挿入部は、レバーに一体化して連結してもよい。一部の例では、挿入部が、レバーに連結および／またはそこから延伸する構造、歯車、シャフトなどと相互作用することによって、レバーを一以上の位置に固着することが可能になる。したがって、一部の例では、挿入部を、レバーによって直接に受容することはできない。
【００１１】
挿入部は、第一部分がそこから延伸する第二部分を追加的に含むことができる。第二部分は円形断面を有し、取付プレート内に位置付けすることができる。一部の例では、取付プレート、エンドプレートおよび／またはハウジング、ならびに第二部分が、開口部および／またはアパーチャを画定し、これらが位置合わせされた際に、止めピンがそこを貫通して挿入されることが可能にし、そして、挿入部とレバーの内向きスプラインとの相互作用によって、挿入部、転じて、レバーの回転運動を防止することができる。
【００１２】
止めピンは、より直径が長い部分とより直径が短い部分とを分離する段部を含むことができる。止めピンの段部が開口部および／またはアパーチャ内の対応する段部に係合することによって、一旦ピンが取付プレート内に完全に位置付けされた際に、止めピンのさらなる運動を防止することができる。一部の例では、止めピンのより直径が短い部分が、ロックアウト処置の間に保持装置の一部分（たとえば、ロック）を位置付けすることができる貫通穴を画定することによって、それぞれの開口部またはアパーチャから止めピンが取り外れることを防止することができる。あるいは、止めピンが取付プレート、エンドプレートおよび／またはハウジングの表面に係合するヘッドを有することによって、一旦ピンが取付プレート、エンドプレートおよび／またはハウジング内に完全に位置付けされた際に、止めピンのさらなる運動を防止することができる。
【００１３】
レバーの回転運動を防止することができる位置は、挿入部の第一部分がその中に挿入される際のレバーの位置に応じて変化し得る。例として、取付プレートのアパーチャに位置合わされたアパーチャを有する挿入部がレバー内に挿入された際にレバーが完全閉鎖位置にある場合には、ロックアウト処置の間、レバーを完全閉鎖位置に回転可能に固着または固定することができる。あるいは、取付プレートのアパーチャに位置合わされたアパーチャを有する挿入部がレバー内に挿入された際にレバーが完全開放位置にある場合には、ロックアウト処置の間、レバーを完全開放位置に回転可能に固着または固定することができる。
【００１４】
他の例では、取付プレートおよび第二部分が開口部および／またはスロットを画定し、これらが位置合わせされた際に、キー（たとえば、正方形または長方形伸長部材）をその中に挿入し、挿入部とレバーの内向きスプラインとの相互作用によって、挿入部、転じて、レバーの回転運動を防止することが可能になる。他の例では、第二部分が２つ以上の開口部、アパーチャおよび／またはスロットを画定し、これらがそれぞれ取付プレートによって画定された開口部、アパーチャおよび／またはスロットと位置合わせされた際に、挿入部、転じて、レバーを２以上の位置に回転可能に固着または固定することが可能になる。例として、挿入部の開口部の第一部分が取付プレートの開口部と位置合わせされ、物体（たとえば、止めピン、キーなど）がその中に挿入された場合には、挿入部およびレバーを第一位置に回転可能に固定することができる。第一位置は、アクチュエータに連結された弁の完全閉鎖位置に対応し得る。挿入部の開口部の第二部分が取付プレートの開口部と位置合わせされ、物体がその中に挿入された場合には、挿入部およびレバーを第二位置に回転可能に固定することができる。第二位置は、例として、アクチュエータに連結された弁の５０％開放位置に対応し得る。しかしながら、第一および／または第二位置は、任意の他の弁位置（たとえば、完全開放、完全閉鎖、５０％など）に対応してもよい。
【００１５】
取付プレート内の挿入部を軸方向に保持するために、運動スケールまたはリテーナを取付プレートに連結してもよい。運動スケールは、挿入部の第二部分が位置付けされるアパーチャの端部を覆うことができる。一部の例では、運動スケールは、輪状（たとえば、環状）でもよく、挿入部と同軸上に位置合わせされる。そのような例では、挿入部が取付プレートから落下するのを防止するために、運動スケールの内径は挿入部の外径よりも短くてもよい。通常動作中、挿入部はレバーと共に回転するため、運動インジケータ（たとえば、矢印）を、挿入部の外面に連結してもよい。レバーが回転すると、運動インジケータは、隣接する運動スケールに弁の位置を視覚的に示すことができる。あるいは、取付プレートは、取付プレート内の挿入部を軸方向に保持するためのへりを含むことができる。
【００１６】
一部の例では、使われていない時（たとえば、ロックアウト処置以外の時）に止めピンまたはキーを格納するために、取付プレートは、止めピンまたはキーをその中に挿入できるアパーチャを画定できる。アパーチャ内に止めピンまたはキーを固定するために、止めピンまたはキーをその中に固定するためのクリップピンをアパーチャ内に位置付けてもよい。一部の例では、付属装置を取付プレートに固定するのに用いられるアパーチャが穴を開け得る深さを妨げないために、止めピンの格納に用いられるアパーチャは、取付プレートの第一平面に長手方向軸を有し得、ロックアウト処置の間に用いられるアパーチャは、取付プレートの第二平面に長手方向軸を有し得る。付属装置は、保定装置、運動ビーコン、リミットスイッチなどを含むことができる。
【００１７】
他の例では、アクチュエータハウジングに対してレバーを回転可能に固着または固定するために、ロックアウト処置の間、アクチュエータレバー内にのみ挿入部を位置付けすることができる。そのような例では、取付プレート、エンドプレートおよび／またはハウジングは、挿入部の第二部分の断面に対応する形状（たとえば、スプライン、正方形、長方形など）を有するアパーチャを画定できる。例として、レバー内に挿入される挿入部の第一部分は、レバーの内向きスプラインと相互作用する略正方形断面を有し得、レバーから延伸する挿入部の第二部分もまた、取付プレートによって画定された正方形および／またはスプラインされたアパーチャに対応する正方形断面を有し得る。挿入部がアクチュエータレバー内に位置付けられていない通常動作中、カバーまたはフラップ（たとえば、運動インジケータ）を、アクチュエータレバーに隣接するアクチュエータハウジングによって画定された開口部を覆うように位置付けることによって、破片がアクチュエータハウジングおよび／またはレバーに入ることを実質的に防止することができる。
【００１８】
図１は、ハウジング１０２およびレバー１０４を含むロータリーアクチュエータ１００の一部分を描写する部分断面図である。レバー１０４は、アクチュエータロッド１０６に連結されており、弁棒（図示せず）を受容するように構成されている。アクチュエータロッド１０６とレバー１０４との連結により、アクチュエータロッド１０６の直線変位を、弁棒および弁部材（図示せず）が連結されているレバーの回転運動１０４に変換することが可能になる。
【００１９】
アクチュエータ１００は、ロックアウト処置の間、矢印１１０（たとえば、反時計回り）に概して示す方向へのレバー１０４の運動を防止するためのロックアウト組立体１０８を追加的に含む。ロックアウト組立体１０８は、ロッキングディスク１１４を有するねじ式スタッド１１２を含む。スタッド１１２は、ハウジング１０２の底部を通り延伸し、ロックアウト処置の間、レバー１０４の押さえネジ１１８に係合するように構成されている端部１１６を含む。スタッド１１２とレバー１０４との係合により、レバー１０４が矢印１１０に概して示す方向に動くことを防止することができる。ロックアウト処置の間のスタッド１１２の不慮の運動を防止するために、ハウジング１０２は、ロッキングディスク１１４のアパーチャ１２４に位置合わせしたアパーチャ１２２を画定するようにそこに連結する伸長部１２０を含む。一旦スタッド１１２が押さえネジ１１８に係合し、アパーチャ１２２および１２４が位置合わせされると、ロック１２６の一部分をアパーチャ１２２および１２４を通り位置付けすることができる。
【００２０】
ロックアウト処置の間、アクチュエータロッド１０６がレバー１０４を（図１に描写するような）最上位置に位置付けし、端部１１６が押さえネジ１１８に係合するまで、スタッド１１２は矢印１１９に概して示す方向に動くことができる。次に、薄ナット１２８をハウジング１０２に係合するように動かすことによって、ハウジング１０２に対してスタッド１１２をさらに固定することができる。また、ロック１２６の一部分を対応するアパーチャ１２２および１２４を通るように位置付けすることによって、スタッド１１２の不慮の運動を防止することができる。
【００２１】
スタッド１１２とレバー１０４との係合により、レバー１０４が矢印１１０に概して示す方向（たとえば、反時計回り）に動くことを防止することができる。しかしながら、この係合では、レバー１０４が矢印１３０に概して示す方向（たとえば、時計回り）に動くことは防止しない。スタッド１１２を適切にレバー１０４に係合するためには、レバー１０４は、レバー１０４を一つの位置のみへのロックアウトに制限する（図１に描写するような）最上位置にある必要がある。レバー１０４の最上位置は、完全開放位置または完全閉鎖位置にある、アクチュエータ１００に連結された弁に対応できる。
【００２２】
図２は、アクチュエータ１００に類似するロータリーアクチュエータ２００の一部分を描写する部分断面図である。アクチュエータ２００は、ハウジング２０２およびレバー２０４を含む。レバー２０４は、アクチュエータロッド２０６に連結されており、弁棒（図示せず）を受容するように構成されている。アクチュエータロッド２０６とレバー２０４との連結により、アクチュエータロッド２０６の直線変位を、弁棒および弁部材（図示せず）が連結されているレバー２０４の回転運動に変換することが可能になる。
【００２３】
アクチュエータ２００は、ロックアウト処置の間、矢印２１０（たとえば、反時計回り）に概して示す方向へのレバー２０４の運動を防止するためのロックアウト組立体２０８を追加的に含む。図１のロックアウト組立体１０８の場合と同様にハウジング２０２の底に位置付けする代わりに、ロックアウト組立体２０８はハウジング２０２の側面に位置付けられている。その他の点では、ロックアウト組立体２０８の機能性はロックアウト組立体１０８と同様である。
【００２４】
ロックアウト組立体２０８は、ハウジング２０２を通り延伸してレバー２０４に係合するねじ式スタッド２１２を含み、ロックアウト処置の間、矢印２１０に概して示す方向へのレバー２０４の回転を防止することができる。しかしながら、図１のロックアウト組立体１０８の場合と同様に、スタッド２１２とレバー２０４との係合では、矢印２１４に概して示す方向（たとえば、時計回り）へのレバー２０４の運動は防止しない。また、図１のロックアウト組立体１０８の場合と同様に、スタッド２１２を適切にレバー２０４に係合するためには、レバー２０４を（図２に描写する）最上位置に位置付けする必要がある。
【００２５】
図３は、その内部に配置されたレバー３０２を含むアクチュエータ３００の一部分を描写する。レバー３０２は、弁をアクチュエータ３００のいずれかの側面に取り付けることが可能になるアパーチャ３０４をその両側（そのうちの１つは図示せず）に含む。アパーチャ３０４内に位置付けされた内向きスプラインおよび／もしくは機構３０６、ならびに／またはレバー３０２の他の内部スプラインは、弁棒と相互作用することによって、レバー３０２の回転運動を弁棒に伝達するように構成される。また、弁棒を受容しないアパーチャ３０４のスプライン３０６が、例示のロックアウト装置と相互作用することによって、レバー３０２の回転運動をロックアウト装置に伝達することができる。レバー３０２の回転運動がロックアウト装置に伝達されるため、ロックアウト装置の運動を防止すると、レバー３０２の運動も防止することができる。
【００２６】
図４は、レバー３０２、アパーチャ３０４およびスプライン３０６のより詳細な外観を描写する。レバー３０２のレバーアーム４０２がアクチュエータロッド（図示せず）に連結されることにより、アクチュエータロッドの直線運動を、軸４０４を中心にしたレバー３０２の回転運動に変換することが可能になる。レバー３０２は内部スプライン４０６を含み、これが弁棒と相互作用することによってレバー３０２の回転運動を弁棒に伝達することができる。
【００２７】
図５は、ハウジング５０２を含む例示のアクチュエータ５００を描写する。取付ブラケットまたはヨーク５０４がハウジング５０２の第一側面５０６に取り付けられ、例示のロックアウト装置または組立体５０８がハウジング５０２の第二側面５１０に取り付けられている。ロックアウト装置５０８は、そこに連結される運動インジケータ５１４を有する挿入部５１２を含む。また、ロックアウト装置５０８は、挿入部５１２を少なくとも部分的に位置付けする取付プレート５１６、および止めピン５１８を含む。止めピン５１８は、挿入部５１２および取付プレート５１６に画定されたアパーチャを通り延伸することによって、取付プレート５１６に対して挿入部５１２を実質的に固定または固着する（すなわち、その回転を防止する）。
【００２８】
図６は、アクチュエータレバー６０２、ハウジング５０２および例示のロックアウト装置５０８を含むアクチュエータ５００の一部分を描写する断面図である。ロックアウト装置５０８は、挿入部５１２、取付プレート５１６および止めピン５１８を含む。
【００２９】
挿入部５１２は、レバー６０２の第一のアパーチャ６０６内に延伸する第一部分６０４を含むことができる。第一のアパーチャ６０６は、弁棒（図示せず）が位置付けられているレバー６０２の第二のアパーチャ６０８とは反対側にある。しかしながら、代わりに、第一部分６０４が第二のアパーチャ６０８に位置付けされ、弁棒が第一のアパーチャ６０６に位置付けられてもよい。
【００３０】
第一部分６０４は、第一のアパーチャ６０６内のスプライン６１４によって画定された一以上の溝６１２によって受容される表面構造（たとえば、角）６１０を含む。表面構造６１０とスプライン６１４との相互作用によって、レバー６０２の回転運動を挿入部５１２に伝達することが可能になる。したがって、レバー６０２が回転してアクチュエータ５００に連結された弁の位置が変わると、挿入部５１２も回転する。一部の例では、第一部分６０４は、スプラインを有する略正方形断面、三角形断面、円形断面などを有し得る。
【００３１】
挿入部５１２は、取付プレート５１６のアパーチャ６１８内に少なくとも部分的に位置付けられた第二部分６１６を追加的に含む。第二部分６１６は、止めピン５１８が挿入部５１２および取付プレート５１６を通って延伸しない際に、挿入部５１２がアパーチャ６１８内において自由に回転可能になるような断面形状を有し得る。一部の例では、第二部分６１６は、ロックアウト装置５０８がハウジング５０２に取り付けられている際に、円形断面を有するレバー６０２の一部分または端部６１７に対応および係合する円形断面を有し得る。
【００３２】
取付プレート５１６および第二部分６１６がアパーチャ６２０および６２２を画定し、これらが位置合わせされた際に、止めピン５１８がそこを貫通して挿入され、取付プレート５１６に対する挿入部５１２の回転運動を防止することが可能になる。レバー６０２の回転運動が両方向（たとえば、時計回り、反時計回り）において挿入部５１２に伝達されるように第一部分６０４がレバー６０２内に位置付けされるため、挿入部５１２の両方向への回転運動を防止することによって、レバー６０２の両方向への回転運動も防止することができる。
【００３３】
一旦止めピン５１８がアパーチャ６２０および６２２内に位置付けされると、止めピン５１８の段部６２４が取付プレート５１６の対応する段部６２６に係合することによって、矢印６２８に概して示す方向への止めピン５１８の追加の運動を防止することができる。次に、ロック（図示せず）を止めピン５１８の貫通穴６３０に位置付けすることによって、止めピン５１８の取り外れを防止することができる。
【００３４】
アクチュエータを最上位置に固定するように制限されている前述のロックアウト組立体１０８および２０８とは異なり、ロックアウト装置５０８を用いることにより、レバー６０２を任意の位置（たとえば、閉鎖位置、開放位置、または完全開放と完全閉鎖との間の任意の他の位置）に回転可能に固定または固着することができる。例として、レバー６０２を所望のロックアウト位置に位置付けし、次に、ロックアウト装置５０８をハウジング５０２に取り付けることによって、例として、止めピン５１８を用いて、ロックアウト処置の間、レバー６０２をその位置に固定することができる。レバー６０２が完全閉鎖位置にある際に位置合わせされたアパーチャ６２０および６２２、ならびに挿入された止めピン５１８を有するロックアウト装置５０８がハウジング５０２に取り付けられている場合には、止めピン５１８を用いて、レバー６０２を完全閉鎖位置に回転可能に固定することができる。レバー６０２が完全開放位置にある際に位置合わせされたアパーチャ６２０および６２２、ならびに挿入された止めピン５１８を有するロックアウト装置５０８がハウジング５０２に取り付けられている場合には、止めピン５１８を用いて、レバー６０２を完全開放位置に回転可能に固定することができる。描写しないが、他の例では、挿入部５１２は、取付プレート５１６のアパーチャ６２０と位置合わせされた追加のアパーチャを画定することによって、ロックアウト装置５０８を取り外してハウジング５０２に再び据え付けることなく、レバー６０２を２以上の位置に固定することが可能になる。一部の例では、第一のアパーチャ６０６内に（たとえば、スプライン６１４を形成する）ブローチで穴を開けた４個の正方形があってもよい。したがって、第一部分６０４が正方形断面を有する場合には、描写したのとは異なるようにロックアウト装置５０８をハウジング５０２に取り付けることが可能な４つの異なる方法によって挿入部５１２をレバー６０２内に位置付けすることができる。
【００３５】
取付プレート５１６内において挿入部５１２を軸方向に保持するために、運動スケール６３２を取付プレート５１６に連結してもよい。運動スケール６３２のへりまたはエッジ６３４が、挿入部５１２の第二部分６１６をアパーチャ６１８内に保持することができる。一部の例では、運動スケール６３２は、輪状でもよいし、挿入部５１２と軸方向に位置合わせされる。そのような例では、運動スケール６３２の内径は、挿入部５１２の第二部分６１６の外径よりも短く、挿入部５１２をアパーチャ６１８内に保持することができる。挿入部５１２がレバー６０２と共に回転するため、運動インジケータ６３６は、挿入部５１２に連結することによって、隣接する運動スケール６３２に弁位置を示すことができる。あるいは、取付プレート５１６は、取付プレート５１６内において挿入部５１２を軸方向に保持するためのへりを含むことができる（図示せず）。
【００３６】
図７は、挿入部５１２、取付プレート５１６および止めピン５１８を含む例示のロックアウト装置５０８を描写する。この例では、第一部分６０４は、レバー６０２のスプライン６１４と相互作用または係合するように構成された略正方形断面を有する。取付プレート５１６は複数個のスロット７０２を画定し、締結具７０４は、ロックアウト装置５０８をアクチュエータ５００に連結するためにそこを通って延伸する。アクチュエータ５００が連結する弁の零点位置（たとえば、閉鎖位置）が（たとえば、＋／−７度）変化し得るため、レバー６０２の位置も（たとえば、＋／−７度だけ）変化し得る。したがって、取付プレート５１６に円形アパーチャの代わりにスロット７０２を提供することによって、アクチュエータ５００に対するロックアウト装置５０８の取付位置を、例として、（たとえば、＋／−７度だけ）変化させることによって、ロックアウト装置５０８を種々の弁構成と共に用いることが可能になる。ロックアウト装置５０８をアクチュエータ５００に連結することが可能になるように、取付プレート５１６に従いスロット７０２を正方形パターンまたは任意の他のパターンに画定することができる。取付プレート５１６は４個のスロット７０２を画定するが、代わりに、任意の他の数（たとえば、１，２，３など）のスロットを画定してもよい。あるいは、スロット７０２は、例として、貫通穴よりも大きくてもよい。
【００３７】
図８は、そこに連結される運動インジケータ６３６を有する挿入部５１２、そこに連結される運動スケール６３２を有する取付プレート５１６、および止めピン５１８を含むロックアウト装置５０８の別の図面を描写する。運動インジケータ６３６は、複数個のアパーチャまたはスロット８０２を画定することによって、例として、弁の構成に応じて異なるように運動インジケータ６３６を挿入部５１２に連結することが可能になる。運動スケール６３２は、複数個のアパーチャまたはスロット８０４を画定することによって、例として、弁の構成に応じて異なるように運動スケール６３２を取付プレート５１６に連結することが可能になる。この例では、取付プレート５１６は、複数個の取付穴またはアパーチャ８０６を画定することによって、付属装置を取付プレートおよび／またはアクチュエータ５００に取り付けることが可能になる。取付穴８０６は任意の好適なパターンを有することができ、取付プレート５１６は任意の数（たとえば、１，２，３など）の取付穴を画定できる。
【００３８】
図９〜図１１は、本明細書に記述する例の実施に用いることができる例示の取付プレート９００の種々の外観を描写する図である。取付プレート９００は取付プレート５１６に類似する。しかしながら、取付プレート９００は、ロックアウト処置の間止めピンを受容するための第一のアパーチャ９０２、および（たとえば、ロックアウト処置ではない）通常動作中に止めピンを受容および格納するための第二のアパーチャ９０４を含む。取付プレート９００は、締結具７０４を受容するための複数個のスロット９０６を含むことによって、取付プレート９００をアクチュエータ５００に連結することが可能になる。取付プレート９００は、複数個の取付穴９０８および９１０を追加的に含むことによって、付属装置および／または運動スケール６３２を、それぞれ、取付プレート９００に連結することが可能になる。
【００３９】
図１０に描写するような第一のアパーチャ９０２内に位置付けられた段部１００２は、止めピン５１８の対応する段部に係合することができる。
【００４０】
図１１に描写するように、取付穴９０８が穴を開け得る深さを妨げないために、第二のアパーチャ９０４を、第一のアパーチャ９０２とは異なる平面に位置付けしてもよい。
【００４１】
図１２および図１３は、本明細書に記述する例の実施に用いることができる例示の挿入部１２００の互いに異なる外観を描写する図である。挿入部１２００は、アクチュエータレバー内に位置付けられた第一部分１２０２、および例示のロッキング装置の取付プレート内に位置付けられた第二部分１２０４を含む。図１２に描写するように、第二部分１２０４がアパーチャ１２０６を画定することによって、これらが取付プレートの対応するアパーチャと位置合わせされるとロックアウト処置の間止めピンを受容することができる。図１３に描写するように、第一部分１２０２は、面取りした角を有する略正方形断面を有し得、第二部分１２０４は略円形断面を有し得る。
【００４２】
図１４は、本明細書に記述する例の実施に用いることができる例示の止めピン１４００を描写する。止めピン１４００は、段部１４０６によって分離されたより直径が長い部分１４０２、およびより直径が短い部分１４０４を含む。止めピン１４００が例示のロックアウト装置の取付プレートおよび挿入部内に挿入された際に、例として、段部１４０６が取付プレートの対応する段部に係合できる。より直径が短い部分１４０４が、ロックの一部分がそこを通り位置付けられるアパーチャ１４０８を画定することによって、止めピン１４００が、ロックアウト処置の間、取付プレートおよび挿入部から外れることを防止することができる。
【００４３】
図１５は、本明細書に記述する例の実施に用いることができる代替的な例示の取付プレート１５００を描写する。取付プレート１５００は、取付プレート１５００によって画定されたアパーチャ１５０４内に位置付けされたスプライン１５０２を含む。前述の例とは対照的に、ロックアウト処置の間、アパーチャ１５０４および隣接するアクチュエータレバー内にのみ挿入部を位置付けすることができる。そのような処置中、挿入部の第一部分をアクチュエータレバー内に位置付けし、挿入部の第二部分をアパーチャ１５０４内に位置付けすることによって、取付プレート１５００に対してアクチュエータレバーを回転可能に固着することができる。挿入部の第二部分は、スプライン１５０２の少なくとも一部分と相互作用する断面を有し得、この断面により、挿入部がアパーチャ１５０４内に位置付けられているときの挿入部の回転を全面的に実質的に制限または防止することができる。通常動作中、少なくとも挿入部をアクチュエータレバー１５００から取り外すことによって、アクチュエータレバーを回転させることが可能になる。取付プレート１５００を、円形アパーチャ１５０４を有するものとして描写したが、他の例では、取付プレート１５００は、任意の他の形状（たとえば、正方形、三角形など）を有するアパーチャを画定できる。
【００４４】
図１６および図１７は、それぞれの第一部分１６０２および１７０２、それぞれの第二部分１６０４および１７０４、ならびにそれぞれのハンドル１６０６および１７０６を有する例示の挿入部１６００および１７００を描写する。ロックアウト処置の間、第一部分１６０２および１７０２は、アクチュエータレバー内に位置付けられ、第二部分１６０４および１７０４は、取付プレート１５００内に位置付けられ得る。第一部分１６０２および１７０２とアクチュエータレバーとの相互作用、ならびに角１６０８および１７０８または挿入部１６００および１７００の他の表面構造とスプライン１５０２との相互作用によって、アクチュエータレバーを取付プレート１５００に対して回転可能に固着することが可能になる。第二部分１６０４および１７０４の２つの断面を描写したが、第二部分１６０４または１７０４は、任意の他の好適な断面形状（たとえば、星形、三角形、スプラインなど）を有してもよい。
【００４５】
ある例示的な方法、器械および製造品を本明細書に記載したが、本特許の対象範囲はそれらに制限されない。むしろ、本特許は、文字通り、または均等論の下で、添付の請求項の範囲内に適正に収まる全ての方法、器械および製造品を対象とする。
【図１】
2014508904.tif 000003
【図２】
2014508904.tif 000004
【図３】
2014508904.tif 000005
【図４】
2014508904.tif 000006
【図５】
2014508904.tif 000007
【図６】
2014508904.tif 000008
【図７】
2014508904.tif 000009
【図８】
2014508904.tif 000010
【図９】
2014508904.tif 000011
【図１０】
2014508904.tif 000012
【図１１】
2014508904.tif 000013
【図１２】
2014508904.tif 000014
【図１３】
2014508904.tif 000015
【図１４】
2014508904.tif 000016
【図１５】
2014508904.tif 000017
【図１６】
2014508904.tif 000018
【図１７】
2014508904.tif 000019
【国際調査報告】
2014508904.tif 000020
2014508904.tif 000021